(57)【特許請求の範囲】
【請求項１】
支柱又は壁面に取り付けた受け材と、笠木を固定してあり且つ受け材に笠木を角度変更自在に取り付けるブラケットとを備え、受け材は、ブラケットに対して進退する固定ねじを有し、ブラケットは、前後方向の一方側面及び他方側面がフラット面であり、一方側面を固定ねじの先端が押圧可能な当接面としてあり、他方側面に固定ねじの先端が係合可能な係合部を穿孔してあり、固定ねじの先端にブラケットの前後方向の一方側面及び他方側面の何れかの面を対向させるために、ブラケットを前後反転して受け材に取り付け自在であることを特徴とする手摺。
【発明の詳細な説明】
【技術分野】
【０００１】
本発明は、手摺に関する。  
【背景技術】
【０００２】
非特許文献１には、支柱に取り付けた受け材に、笠木を固定したブラケットを角度変更自在に取り付けた手摺が開示されている。
【先行技術文献】
【非特許文献】
【０００３】
【非特許文献１】第７０９頁「三協アルミ  エクステリア建材  エクステリア  総合カタログ  エクステリア  価格改定版  ２０１５→２０１６  ＥＸ」カタログＮｏ．ＳＴＸ０８９８Ａ  三協立山株式会社  三協アルミ社  ２０１５年７月発行
【発明の概要】
【発明が解決しようとする課題】
【０００４】
従来、傾斜部にジョイント金具で連結した先の水平部の笠木に対して、傾斜部で用いるものと同じ角度変更自在のブラケットと受け材で固定するが、その場合は最低でも２箇所にブラケットと受け材を取り付ける必要があったが、１箇所のみでもしっかり固定できる手摺が望まれていた。  
【０００５】
そこで、本発明は、笠木を固定したブラケットが、受け材に対して角度変更自在であって且つ所定角度でしっかり固定できる手摺の提供を目的とする。  
【課題を解決するための手段】
【０００６】
請求項１に記載の発明は、支柱又は壁面に取り付けた受け材と、笠木を固定してあり且つ受け材に笠木を角度変更自在に取り付けるブラケットとを備え、受け材は、ブラケットに対して進退する固定ねじを有し、ブラケットは、前後方向の一方側面及び他方側面がフラット面であり、一方側面を固定ねじの先端が押圧可能な当接面としてあり、他方側面に固定ねじの先端が係合可能な係合部を穿孔してあり、固定ねじの先端にブラケットの前後方向の一方側面及び他方側面の何れかの面を対向させるために、ブラケットを前後反転して受け材に取り付け自在であることを特徴とする手摺である。
【発明の効果】
【０００７】
請求項１に記載の発明によれば、複数の受け材を設けて各受け材にブラケットを角度変更自在に取り付ける場合には、前後方向一方側面に設けた当接面に固定ねじの先端を押圧して取り付ける。一つの受け材に対してブラケットを所定角度でしっかり固定する場合には、ブラケットを前後反転して受け材に取り付け、前後方向他方側面に設けた係合部にねじの先端を係合する。  
このように、本発明によれば、笠木を固定したブラケットが、受け材に対して角度変更自在であって且つ所定角度でしっかり固定できる。  
例えば、複数の受け材とブラケットで笠木を角度変更自在に設けて、これと同じブラケットと受け材を用いても反転させるだけで、一箇所だけのブラケットと受け材でしっかり固定できる。  
一箇所だけのブラケットと受け材でしっかり固定するために、別のブラケットや受け材を用いる必要もなければ、何か部品を追加することもない。  
【図面の簡単な説明】
【０００８】
【図１】第１実施の形態にかかる手摺であって、図３に示すＢ−Ｂ断面図である。
【図２】第１実施の形態にかかる手摺であって、図３に示すＣ−Ｃ断面図である。
【図３】図６に示すＡ部の拡大図である。
【図４】図１に示すブラケットの図であり、（ａ）は正面図、（ｂ）は平面図、（ｃ）は側面図である。
【図５】図１に示す受け材の図であり、（ａ）は正面図、（ｂ）は側面図、（ｃ）は背面図、（ｄ）は平面図である。
【図６】第１実施の形態にかかる手摺の正面図である。
【図７】第２実施の形態にかかる手摺であって、（ａ）は水平部を抜き出して示す正面図であり、（ｂ）は（ａ）に示すＥ−Ｅ断面図である。
【図８】第３実施の形態にかかる手摺であって、（ａ）は水平部を抜き出して示す正面図、（ｂ）は（ａ）に示すＧ−Ｇ断面図である。
【発明を実施するための形態】
【０００９】
以下に、添付図面を参照して本発明の実施の形態について説明するが、まず、図１〜図６を参照して本発明の第１実施の形態について説明する。  
図６に示すように、本実施の形態にかかる手摺１は、玄関アプローチに設ける歩行者用補助手摺であり、水平部１Ａと傾斜部１Ｂとを備えている。  
水平部１Ａには、一つの支柱３と、支柱３に水平に固定した笠木５で構成してあり、傾斜部１Ｂは２つの支柱３、３と、２つの支柱３、３に対して傾斜した笠木５とで構成してある。水平部１Ａの笠木５と傾斜部１Ｂの笠木５とはジョイント金具７で連結してある。
図１及び図２に示すように、各笠木５の下面には、後述する裏板４９が係合する裏板係合溝４７が形成されている。  
【００１０】
図１、図２及び図３に示すように、水平部１Ａの支柱３及び傾斜部１Ｂの支柱３の上端には各々受け材９が取り付けてあり、水平部１Ａの笠木５及び傾斜部１Ｂの笠木５の下面には各々ブラケット１１が取り付けてあり、受け材９にはブラケット１１が回転ねじ２７とブラケット固定ねじ（固定ねじ）３３（図１及び図２参照）で連結されている。  
図１及び図５に示すように、受け材９は、図５（ａ）に示すように正面から見た上端１３が半円弧状の輪郭を成しており、図５（ｂ）及び（ｄ）に示すように、側面から見た中央部には、ブラケット１１の被嵌合部１５（後述する）が嵌合する嵌合溝１７が形成されている。受け材９の下部は支柱３の上端に装着される装着部１９としてあり、図１に示すように、支柱３に形成されているタッピンホール２１にタッピンねじ２３で固定してある。  
受け材９において、嵌合溝１７の一方側溝壁部２５には、回転ねじ２７の頭２７ａを受ける回転ねじ受け部２８が形成してあると共に、回転ねじ２７の軸２７ｂを挿通する回転ねじ挿通孔２９が形成されている。  
嵌合溝１７の他方側溝壁部３１には、一方側溝壁部２５の回転ねじ挿通孔２９よりも上方の位置に、ブラケット固定ねじ３３の頭３３ａを受ける固定ねじ受け部３５が形成してあると共に、ブラケット固定ねじ３３の軸３３ｂを螺合して進退させる固定ねじ孔３７が形成されている。  
【００１１】
図１及び図４に示すように、ブラケット１１は笠木５を固定する本体部１６を有し、本体部１６には、上端面が笠木５の下面を受ける受け面１６ａとしてあり、図４（ａ）に示すように、受け面１６ａは正面から見て直線状の平坦面にしてある。本体部１６は、笠木５の下面に下から止める笠木固定ねじ３９（図１及び図２参照）で固定する笠木固定部４０が長手方向の両側に形成されている。図１及び図２に示すように、笠木固定部４０は、笠木５の裏板係合溝４７に係合した裏板４９に笠木固定ねじ３９を螺合して固定してある。  
図４（ａ）に示すように、ブラケット１１の長手方向中央部は、受け材９の嵌合溝１７に嵌合する被嵌合部１５が設けてある。この被嵌合部１５は本体部１６から下方に向けて略三角形状に突出している。図４（ｃ）に示すように、被嵌合部１５は本体部１６よりも肉厚（前後方向の厚）を薄くして且つ本体部１６と被嵌合部１５との境目は円弧状を成して、受け材９の嵌合溝１７において回転ねじ２７（図１及び図２参照）を中心に回動自在にしてある。  
被嵌合部１５には、回転ねじ２７の軸２７ｂが螺合する回転ねじ孔４１が形成されている。図４（ａ）に示すように、被嵌合部１５の他方側面には、ブラケット固定ねじ３３の軸３３ｂ（図１参照）が係合する係合部４３が設けてある。係合部４３は被嵌合部１５を貫通しない穴である。ブラケット１１の係合部４３は、受け材９の固定ねじ孔３７を螺進したブラケット固定ねじ３３の軸３３ｂの先端を係合部４３に係合した状態で、笠木５が水平になる位置に形成してある。  
被嵌合部１５の一方側面にはブラケット固定ねじ３３の軸３３ｂの先端が押圧可能な当接面４５が形成されている。この当接面４５は平坦面であり、図２に示すように、図１に示すブラケット１１を前後反転して受け材９に取り付けたときにブラケット固定ねじ３３の軸３３ｂの先端が押し圧する面としてある。  
【００１２】
次に、第１実施の形態にかかる手摺１の施工について説明する。  
図３及び図６に示すように、水平部１Ａでは水平地面に、傾斜部１Ｂでは傾斜地面に各々支柱３を立設する。次に、各支柱３の上端に、受け材９を装着して受け材９を支柱３のタッピンホール２１に止めるタッピンねじ２３で固定する。  
次に、図１及び図２に示すように、水平部１Ａ及び傾斜部１Ｂでは、各支柱３に取り付けた受け材９の嵌合溝１７に、ブラケット１１の被嵌合部１５を嵌合してブラケット１１を受け材９に配置する。  
【００１３】
ブラケット１１を受け材９に配置するときには、ブラケット１１は、水平部１Ａでは、図１に示すように、係合部４３が前側になるように配置し、傾斜部１Ｂでは、図２に示すように、係合部４３が後側になるように配置する。即ち、水平部１Ａと傾斜部１Ｂでは、ブラケット１１は係合部４３の位置が前後反転するようにして受け材９の嵌合溝１７に配置する。  
その後、水平部１Ａ及び傾斜部１Ｂでは、各々回転ねじ２７を受け材９の回転ねじ挿通孔２９に挿通してブラケット１１の被嵌合部１５の回転ねじ孔４１に螺合することで、受け材９にブラケット１１を回動自在に取り付ける。  
水平部１Ａでは、図１に示すように、ブラケット１１の係合部４３の位置を受け材９の固定ねじ孔３７に一致させるように、ブラケット１１を回転ねじ２７の回りを回動させて位置を合わせ、受け材９の固定ねじ孔３７を螺進したブラケット固定ねじ３３の軸３３ａの先端を係合部４３に係合する。  
この状態でブラケット１１の本体部１６の上端面に形成された笠木受け面１６ａは水平な面となる。そして、水平部１Ａの支柱３では、笠木固定部４０に挿通する笠木固定ねじ３９を笠木５に取り付けた裏部４９に螺合して締め付け、笠木５を水平状態にしてブラケット１１に固定する。  
【００１４】
一方、図３に示すように、傾斜部１Ｂでは、２つの支柱３、３において、ブラケット１１を回転ねじ２７の回りを回動させて、各笠木受け面１６ａが所定角度に傾斜した状態にする。  
傾斜部１Ｂでは、ブラケット１１を所定角度に傾斜した状態で、ブラケット１１の上に笠木５を配置して、仮置きする。  
その後、水平部１Ａの笠木５には、傾斜部１Ｂ側の端部にジョイント金具７の一端部を取り付け、ジョイント金具７の他端部を仮置きした傾斜部１Ｂの笠木５の端部に取り付ける。  
そして、笠木固定部４０に挿通する笠木固定ねじ３９を笠木５に取り付けた裏板４９に螺合して締め付け、笠木５を傾斜状態で固定する。これにより、笠木５は所定角度で傾斜した状態となる。  
その後、図２に示すように、受け材９の固定ねじ受け部３５から挿通して固定ねじ孔３７を螺進したブラケット固定ねじ３３の軸３３ｂの先端がブラケット１１の当接面４５を押圧してブラケット１１をその傾斜位置で固定する。  
【００１５】
第１実施の形態にかかる手摺１の作用効果について説明する。  
図１及び図２に示すように、第１実施の形態にかかる手摺１によれば、傾斜部１Ｂでは、２つの傾斜支柱３、３の各受け材９、９に回転ねじ２７で取付けたブラケット１１を所定角度にした後、笠木５を固定し、ブラケット１１には前後方向一方側面に設けた当接面４５に受け材９に螺合したブラケット固定ねじ３３の先端を押圧して取り付けることで、笠木５を任意の角度に傾斜した状態で固定できる。また、水平部１Ａでは、傾斜部１Ｂで使用した同種のブラケット１１を前後反転して受け材９に取り付け、前後方向他方側面に設けた係合部４３に受け材９を螺進したブラケット固定ねじ３３の先端を係合することで、笠木５を所定角度でしっかりと固定できる。  
特に、水平部１Ａでは、笠木５を取り付けたブラケット１１に対して、ブラケット固定ねじ３３の先端を係合部４３に係合させているので、一箇所に設けたブラケット１１と受け材９でも笠木５をしっかり固定できる。  
水平部１Ａ及び傾斜部１Ｂでは、同種の支柱３、同種のブラケット１１及び同種の受け材９を用いて施工でき、部品種類を少なくできる。特に、ブラケット１１は反転して用いることで水平部１Ａと傾斜部１Ｂとで同種のものを使用でき、且つ追加する部品も必要ないから、部品種類を少なくできる。  
ブラケット１１は前後方向一方側面をブラケット固定ねじ３３の当接面４５としてあり、他方側面に係合部４３を形成するだけであるから、構成が簡易である。  
【００１６】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に、本発明の第２実施の形態にかかる手摺１の水平部１Ａを抜き出して示す。この第２実施の形態では、受け材９は柱３の側面に取り付ける構成としてある。  
即ち、図７（ｂ）に示すように、柱３の側面に補助材５１がねじ５２で固定してあり、補助材５１に設けた受け材嵌合部５３に受け材９の被嵌合部５５を嵌合して受け材嵌合部５３と受け材９をねじ５４で固定している。  
尚、図示していないが、傾斜部１Ｂにおいても、水平部１Ａと同様に受け材９を柱３の側面に取り付けて、第１実施の形態と同様に、ブラケット１１を前後反転して受け材９に取り付け、笠木５が所定角度で傾斜する位置でブラケット１１を受け材９に固定している。  
この第２実施の形態によれば、第１実施の形態と同様の作用効果を奏することができる。  
【００１７】
図８に第３実施の形態にかかる手摺１の水平部１Ａを抜き出して示す。この第３実施の形態では、第２実施の形態における支柱３に換えて、壁面５９に補助材５１を取り付けることで、壁面５９に笠木５を水平に取り付けている。  
また、図示していないが、傾斜部１Ｂでは、水平部１Ａと同様に補助材５１を介して受け材９を壁面５９に取り付けて、第１実施の形態と同様に、ブラケット１１を前後反転して受け材９に取り付け、笠木５が所定角度で傾斜する位置でブラケット１１を受け材９に固定している。  
この第３実施の形態によれば、支柱３を用いることを除いて、第２実施の形態と同様の作用効果を奏することができる。  
【００１８】
本発明は、前述した実施の形態に限定されるものではなく、その要旨を逸脱しない範囲で種々変形可能である。  
第１実施の形態において、水平部１Ａは２つ又は３つ等の複数の支柱３を設けて複数の支柱に笠木５を取り付ける構成としても良い。  
第１〜第３実施の形態おいて、ブラケット１１の係合部４３は、受け材９の固定ねじ孔３７を螺進したブラケット固定ねじ３３の軸３３ｂの先端を係合部４３に係合した状態で、笠木５が水平を成す位置に形成することに限らず、笠木５が所定角度で傾斜する位置に形成しても良い。この場合、ブラケット１１を所定角度で傾斜した状態で受け材９にしっかりと固定できる。
また、第１〜第３実施の形態おいて、ブラケット１１の係合部４３は、笠木５が水平を成す位置や所定角度で傾斜する位置で合計２つ又は３つ等の複数形成しても良い。
【符号の説明】
【００１９】
１    手摺
３  支柱
５    笠木
９    受け材
１１  ブラケット
２７  回転ねじ
３３  ブラケット固定ねじ（固定ねじ）
４３  係合部
４５  当接面
５９  壁面
【図１】
0006640574.tif 000002
【図２】
0006640574.tif 000003
【図３】
0006640574.tif 000004
【図４】
0006640574.tif 000005
【図５】
0006640574.tif 000006
【図６】
0006640574.tif 000007
【図７】
0006640574.tif 000008
【図８】
0006640574.tif 000009